(57)【要約】【課題】  本発明は回転体を回転可能に支持する軸の軸孔がリング状の支持部材の開口部の外壁面に現れ、見苦しくなるのを確実に阻止して、商品として最優先される美観の向上を図ることができる指輪を得るにある。【解決手段】  一部を切り欠いて開口部を形成したリング状の支持部材と、この支持部材の開口部の両内壁面に形成された一対の軸穴と、支持部材の開口部に回転可能に取付けられた一対の軸穴と係合する軸を有する少なくとも２面以上の回転体と、この回転体の少なくとも２面以上に設けられた宝石や模様の装飾体と、回転体を任意の回転位置で係止させる、該回転体の側面および該側面と対応する部位の支持部材の開口部の一方の内壁面に設けられた係止手段とで指輪を構成している。【選択図】  図４
2011010856.tif 000002
【特許請求の範囲】
【請求項１】
一部を切り欠いて開口部を形成したリング状の支持部材と、この支持部材の開口部の両内壁面に形成された一対の軸穴と、前記支持部材の開口部に回転可能に取付けられた前記一対の軸穴と係合する軸を有する少なくとも２面以上の回転体と、この回転体の少なくとも２面以上に設けられた宝石や模様の装飾体と、前記回転体を任意の回転位置で係止させる、該回転体の側面および該側面と対応する部位の前記支持部材の開口部の一方の内壁面に設けられた係止手段とからなることを特徴とする指輪。
【請求項２】
軸は支持部材の開口部の一方より回転体を押し込むと軸穴と係合できるように、該回転体のほぼ中央両側面より外方へ突出し、先端部が傾斜面に形成された左右の軸で構成されていることを特徴とする請求項１記載の指輪。
【請求項３】
軸は回転体のほぼ中央部を貫通する軸挿入孔に形成され、かつ一端部が付勢スプリングで伸縮可能な伸縮軸が設けられたものであることを特徴とする請求項１記載の指輪。
【請求項４】
係止手段は支持部材の開口部の一方の内壁面の軸穴の外周部に位置し、内側へ突出する係止突起が形成された弾性係止片と、この弾性係止片の係止突起と係合する回転体の側面に形成された少なくとも２個以上の係止凹部とで構成されていることを特徴とする請求項１記載の指輪。
【発明の詳細な説明】
【技術分野】
【０００１】
本発明は宝石や模様の装飾体が少なくとも２面以上に設けられた、回転体を使用状態に応じて任意の位置へ回転させて使用することができる指輪に関する。
【背景技術】
【０００２】
従来、リング状の支持部材の一部を切り欠いて開口部を形成し、該開口部に２個以上の宝石や模様等を設けた回転体を回転可能に軸で取付けていた。
このため、回転体を回転可能に取付ける軸を支持する軸孔は、リング状の支持部材の開口部の外壁面にも現れ、見苦しくなるという欠点があった。
【先行技術文献】
【特許文献】
【０００３】
【特許文献１】特開平１０−１５１００８
【特許文献２】特開２００４−１３５８９３
【発明の概要】
【発明が解決しようとする課題】
【０００４】
本発明は以上のような従来の欠点に鑑み、回転体を回転可能に支持する軸の軸孔がリング状の支持部材の開口部の外壁面に現れ、見苦しくなるのを確実に阻止して、商品として最優先される美観の向上を図ることができる指輪を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は一部を切り欠いて開口部を形成したリング状の支持部材と、この支持部材の開口部の両内壁面に形成された一対の軸穴と、前記支持部材の開口部に回転可能に取付けられた前記一対の軸穴と係合する軸を有する少なくとも２面以上の回転体と、この回転体の少なくとも２面以上に設けられた宝石や模様の装飾体と、前記回転体を任意の回転位置で係止させる、該回転体の側面および該側面と対応する部位の前記支持部材の開口部の一方の内壁面に設けられた係止手段とで指輪を構成している。
【発明の効果】
【０００８】
以上の説明から明らかなように、本発明にあっては次に列挙する効果が得られる。
（１）一部を切り欠いて開口部を形成したリング状の支持部材と、この支持部材の開口部の両内壁面に形成された一対の軸穴と、前記支持部材の開口部に回転可能に取付けられた前記一対の軸穴と係合する軸を有する少なくとも２面以上の回転体と、この回転体の少なくとも２面以上に設けられた宝石や模様の装飾体と、前記回転体を任意の回転位置で係止させる、該回転体の側面および該側面と対応する部位の前記支持部材の開口部の一方の内壁面に設けられた係止手段とで構成されているので、支持部材の開口部の外壁面に軸孔が現れるのを防止することができ、該軸孔によって美観が損なわれるのを確実に防止することができる。
（２）前記（１）によって、支持部材の開口部の外壁面に軸孔が現れないので、該部位のデザインに制限がなく、自由にデザイン設計を図ることができ、美観の向上を図ることができる。
（３）請求項２は前記（１）、（２）と同様な効果が得られるとともに、部品点数が少なく、容易に組み立てることができる。
（４）請求項３も前記（１）、（２）と同様な効果が得られる
（５）請求項４も前記（１）、（２）と同様な効果が得られるとともに、製造が容易で、簡単に係止手段を組み込むことができる。
【図面の簡単な説明】
【０００９】
【図１】本発明を実施するための第１の形態の正面図。
【図２】本発明を実施するための第１の形態の平面図。
【図３】本発明を実施するための第1の形態の側面図。
【図４】図２の４−４線に沿う要部拡大断面図。
【図５】本発明を実施するための第1の形態の支持部材の説明図。
【図６】本発明を実施するための第1の形態の回転体の説明図。
【図７】本発明を実施するための第1の形態の弾性係止片の説明図。
【図８】本発明を実施するための第1の形態の係止状態の説明図。
【図９】本発明を実施するための第1の形態の回転体を回転させた状態の正面図。
【図１０】本発明を実施するための第２の形態の正面図。
【図１１】本発明を実施するための第２の形態の側面図。
【図１２】本発明を実施するための第２の形態の回転体の説明図。
【図１３】本発明を実施するための第３の形態の正面図。
【図１４】本発明を実施するための第３の形態の側面図。
【図１５】本発明を実施するための第３の形態の回転体の説明図。
【図１６】本発明を実施するための第３の形態の軸の説明図。
【図１７】本発明を実施するための第４の形態の正面図。
【図１８】本発明を実施するための第４の形態の平面図。
【図１９】図１８の１９−１９線に沿う要部拡大断面図。
【図２０】本発明を実施するための第４の形態の回転体の説明図。
【発明を実施するための形態】
【００１０】
以下、図面に示す本発明を実施するための形態により、本発明を詳細に説明する。
【００１１】
図１ないし図９に示す本発明を実施するための第１の形態において、１は装飾部分をＴＰＯに応じて代えて使用することができる本発明の指輪で、この指輪１は一部を切り欠いて開口部２を形成したリング状の支持部材３と、この支持部材３の開口部２の両内壁面２ａ、２ａのほぼ中央部に形成された一対の軸穴４、４と、前記支持部材３の開口部２に回転可能に取付けられた、前記一対の軸穴４、４と係合する左右の軸５、５を有する少なくとも２面以上、本発明の実施の形態では４面で長方体形状の回転体６と、この回転体６の各面に設けられた宝石７、７Ａや模様８、８Ａの装飾体９と、前記回転体６を任意の回転位置で係止させる該回転体６の側面および、該側面と対応する部位の前記支持部材３の開口部２の一方の内壁面２ａに設けられた係止手段１０とで構成されている。
【００１２】
前記回転体６は図６に示すように、長方体形状の回転体本体１１と、この回転体本体１１の両側中央部に前記支持部材３の開口部２の一方より回転体６を押し込むと、前記一対の軸穴４、４と係合するように突出し、かつ先端部が傾斜面１２、１２に形成された左右の軸５、５と、前記回転体本体１１の４面のうちの２面に固定された宝石７、７Ａおよび彫刻や象嵌で形成した模様８、８Ａとからなる装飾体９とで構成されている。
【００１３】
前記係止手段１０は前記支持部材３の開口部２の一方の内壁面２ａの軸穴４の外周部に形成された弾性係止片挿入凹部１３、この弾性係止片挿入凹部１３に挿入固定されたＵ字状の切り欠き１４で形成され、先端部が内側へ突出するように曲げられた舌片１５、この舌片１５の先端中央部に内側へ突出するように形成された係止突片１６とからなる弾性係止片１７と、この弾性係止片１７の係止突片１６と係合する前記回転体６の側面の軸５の外周部に９０度間隔のほぼ十字状となるように形成された係止凹部１８とで構成されている。
なお、係止凹部は４５度間隔で形成してもよい。
【００１４】
上記構成の指輪１は指に挿入固定される支持部材３に対し、回転体６が回転するため、ＴＰＯに応じて回転体６の宝石７、７Ａ、模様８、８Ａのいずれかを上面に位置させて使用する。この使用時には、回転体６は係止手段１０の係合凹部１８に弾性係止片１７の係止突片１６が係止した状態となっているので、簡単に回転して装飾体の位置がずれたりするのを防止することができる。
【００１５】
また、支持部材３の開口部２の外壁面２ｂ、２ｂに軸孔が存在しないので、美観の向上を図ることができるとともに、該部位をいろいろなデザインに加工することができる。  
【００１６】
[発明を実施するための異なる形態]
次に、図１０ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図１０ないし図１２に示す本発明を実施するための第２の形態において、前記本発明を実施するための第１の形態と主に異なる点は、正三角柱の角部を平坦面１９、１９、１９となるようにカットしたほぼ三角柱状の回転体６Ａを用いるとともに、該回転体６Ａの側面に該回転体６Ａの平坦面が上面に位置したところで係止させる軸５の外周に１２０度間隔で設けられた係止凹部１８、１８、１８を形成した係止手段１０Ａを用いた点で、このように構成された指輪１Ａにしても、前記本発明を実施するための第１の形態と同様な作用効果が得られる。
なお、係止凹部１８を６０度間隔で形成してもよい。
【００１８】
図１３ないし図１６に示す本発明を実施するための第３の形態において、前記本発明を実施するための第１の形態と主に異なる点は、上下面に宝石７、７Ａを用いた装飾体９Ａを取付けた長方体状の回転体６Ｂを用いるとともに、該回転体６Ｂの中央部に軸挿入孔２０を形成し、該軸挿入孔２０に挿入され、両端部が軸穴４、４に挿入される一端部がスプリング２１で常時外方へ突出するように設けられた可動軸２２を備える伸縮可能な軸５Ａを用いた点で、このように構成された指輪１Ｂにしても、前記本発明を実施するための第１の形態と同様な作用効果が得られる。
【００１９】
図１７ないし図２０に示す本発明を実施するための第４の形態において、前記本発明を実施するための第１の形態と主に異なる点は、回転体６Ｃの側面の軸５の外周部にストッパー部材収納凹部２３を形成し、該ストッパー部材収納凹部２３に軸５を貫通するほぼ十字状の係止凹部１８が形成されたストッパー部材２４を固定した係止手段１０Ｂを用いた点で、このように構成された指輪１Ｃにしても、前記本発明を実施するための第１の形態と同様な作用効果が得られる。
【産業上の利用可能性】
【００２０】
本発明はＴＰＯに応じて、装飾体を代えて使用することができる指輪を製造する産業で利用される。
【符号の説明】
【００２１】
１、１Ａ、１Ｂ、１Ｃ：指輪、  ２：開口部、
３：支持部材、                ４：軸穴、
５、５Ａ：軸、                ６、６Ａ、６Ｂ、６Ｃ：回転体、
７、７Ａ：宝石、              ８、８Ａ：模様、
９、９Ａ：装飾体、            １０、１０Ａ、１０Ｂ：係止手段、
１１：回転体本体、            １２：傾斜面、
１３：弾性係止片挿入凹部、    １４：切り欠き、
１５：舌片、                  １６：係止突片、
１７：弾性係止片、            １８：係止凹部、
１９：平坦面、                ２０：軸挿入孔、
２１：スプリング、            ２２：可動軸、
２３：ストッパー部材収納凹部、２４：ストッパー部材。
【図１】
2011010856.tif 000003
【図２】
2011010856.tif 000004
【図３】
2011010856.tif 000005
【図４】
2011010856.tif 000006
【図５】
2011010856.tif 000007
【図６】
2011010856.tif 000008
【図７】
2011010856.tif 000009
【図８】
2011010856.tif 000010
【図９】
2011010856.tif 000011
【図１０】
2011010856.tif 000012
【図１１】
2011010856.tif 000013
【図１２】
2011010856.tif 000014
【図１３】
2011010856.tif 000015
【図１４】
2011010856.tif 000016
【図１５】
2011010856.tif 000017
【図１６】
2011010856.tif 000018
【図１７】
2011010856.tif 000019
【図１８】
2011010856.tif 000020
【図１９】
2011010856.tif 000021
【図２０】
2011010856.tif 000022